(57)【要約】【課題】圧力損失を低減させることができる光触媒フィルタ、および光触媒装置を提供することである。【解決手段】実施形態に係る光触媒フィルタは、それぞれが、第１の方向に延びる複数の繊維を有する複数の横糸部と；それぞれが、前記第１の方向に交差する第２の方向に延びる複数の繊維を有する複数の縦糸部と；前記複数の横糸部、および、前記複数の縦糸部に坦持された光触媒と；を具備している。前記横糸部と、前記縦糸部と、が交差する部分において、少なくとも２つの前記縦糸部が、少なくとも１つの前記横糸部を挟んでいる、および、少なくとも２つの前記横糸部が、少なくとも１つの前記縦糸部を挟んでいる、の少なくともいずれかとなっている。【選択図】図５
2020044527.tif 000002
【特許請求の範囲】
【請求項１】
それぞれが、第１の方向に延びる複数の繊維を有する複数の横糸部と；
それぞれが、前記第１の方向に交差する第２の方向に延びる複数の繊維を有する複数の縦糸部と；
前記複数の横糸部、および、前記複数の縦糸部に坦持された光触媒と；
を具備し、
前記横糸部と、前記縦糸部と、が交差する部分において、
少なくとも２つの前記縦糸部が、少なくとも１つの前記横糸部を挟んでいる、
および、
少なくとも２つの前記横糸部が、少なくとも１つの前記縦糸部を挟んでいる、
の少なくともいずれかとなっている光触媒フィルタ。
【請求項２】
互いに隣接する２つの前記横糸部と、互いに隣接する２つの前記縦糸部とにより画された領域には空間が設けられている請求項１記載の光触媒フィルタ。
【請求項３】
前記繊維は、ガラスを含んでいる請求項１または２に記載の光触媒フィルタ。
【請求項４】
請求項１〜３のいずれか１つに記載の光触媒フィルタと；
基板と、前記基板に設けられ、前記光触媒フィルタに坦持された光触媒に光を照射する発光素子と、を有する光源と；
を備えた光触媒装置。
【発明の詳細な説明】
【技術分野】
【０００１】
本発明の実施形態は、光触媒フィルタ、および光触媒装置に関する。
【背景技術】
【０００２】
健康意識の高まりを反映して、自動車などの車内、冷蔵庫内、居住空間などの所謂、準閉鎖空間における空気の清浄化の要望が高まっている。例えば、食物から発生するアンモニアやエチレンの除去、タバコ煙に含まれるアセトアルデヒドなどのＶＯＣ(Volatile Organic Compounds；揮発性有機化合物）の除去、あるいは除菌やウイルスの不活性化などの要求が高まっている。そのため、複数の発光ダイオードを有する光源と、光触媒が坦持された光触媒フィルタとを備えた光触媒装置が提案されている。
【０００３】
一般的に、複数の発光ダイオードは基板の上に実装されている。また、基板には、ガスを流通させるための複数の孔が設けられている。また、基板は、光触媒フィルタと対峙させて設けられている。処理する物質が含まれたガスは、基板に設けられた孔を通り、光触媒フィルタに到達する。複数の発光ダイオードから出射した光が、光触媒フィルタに坦持された光触媒に入射することで活性酸素種などが生成される。そのため、光触媒フィルタに到達したガスが光触媒フィルタを透過する際に、ガスに含まれている物質が活性酸素種などより処理される。
【０００４】
ここで、ガスが光触媒フィルタを透過する際の圧力損失が大きくなると、ガスの流通が阻害される。そのため、光触媒装置の処理能力が著しく低下するおそれがある。  
そこで、ガスが光触媒フィルタを透過する際の圧力損失を低減させることができる技術の開発が望まれていた。
【先行技術文献】
【特許文献】
【０００５】
【特許文献１】特開２０１０−２４００５３号公報
【発明の概要】
【発明が解決しようとする課題】
【０００６】
本発明が解決しようとする課題は、圧力損失を低減させることができる光触媒フィルタ、および光触媒装置を提供することである。
【課題を解決するための手段】
【０００７】
実施形態に係る光触媒フィルタは、それぞれが、第１の方向に延びる複数の繊維を有する複数の横糸部と；それぞれが、前記第１の方向に交差する第２の方向に延びる複数の繊維を有する複数の縦糸部と；前記複数の横糸部、および、前記複数の縦糸部に坦持された光触媒と；を具備している。前記横糸部と、前記縦糸部と、が交差する部分において、少なくとも２つの前記縦糸部が、少なくとも１つの前記横糸部を挟んでいる、および、少なくとも２つの前記横糸部が、少なくとも１つの前記縦糸部を挟んでいる、の少なくともいずれかとなっている。
【発明の効果】
【０００８】
本発明の実施形態によれば、圧力損失を低減させることができる光触媒フィルタ、および光触媒装置を提供することができる。
【図面の簡単な説明】
【０００９】
【図１】本実施の形態に係る光触媒装置を例示するための模式斜視図である。
【図２】図１における光触媒装置のＡ−Ａ線方向の模式断面図である。
【図３】（ａ）は、光触媒フィルタの模式平面図である。（ｂ）は、光触媒フィルタの模式側面図である。
【図４】比較例に係る坦持部を例示するための模式拡大図である。
【図５】（ａ）〜（ｃ）は、本実施の形態に係る坦持部を例示するための模式拡大図である。
【図６】本実施の形態に係る光触媒フィルタの効果を例示するためのグラフ図である。
【発明を実施するための形態】
【００１０】
以下、図面を参照しつつ、実施の形態について例示をする。なお、各図面中、同様の構成要素には同一の符号を付して詳細な説明は適宜省略する。  
図１は、本実施の形態に係る光触媒装置１を例示するための模式斜視図である。  
図２は、図１における光触媒装置１のＡ−Ａ線方向の模式断面図である。  
図３（ａ）は、光触媒フィルタ４の模式平面図である。  
図３（ｂ）は、光触媒フィルタ４の模式側面図である。  
図１および図２に示すように、光触媒装置１には、筐体２、光源３、および光触媒フィルタ４を設けることができる。
【００１１】
筐体２は、筒状を呈するものとすることができる。図１および図２に例示をした筐体２は、断面が四角の筒状であるが、これに限定されるわけではない。筐体２の形態は、内部にガスの流路を設けることができるものであればよい。例えば、筐体２は、断面が、円、楕円、多角形などの筒状とすることもできる。ただし、断面が四角の筒状を呈する筐体２とすれば、光触媒フィルタ４の平面形状を四角形とすることができる。そのため、光触媒フィルタ４の製造や着脱が容易となる。
【００１２】
筐体２の材料には、特に限定はない。ただし、筐体２の材料を熱可塑性樹脂とすれば、射出成形法を用いて筐体２を形成することができる。この場合、筐体２の材料をアクリル樹脂（ポリメタクリル酸メチル樹脂）とすれば、光源３から照射された紫外線に対する耐性と、ガスに含まれるＶＯＣに対する耐性を向上させることができる。なお、アクリル樹脂の重合度を１００００〜１５０００程度とすれば、発臭を抑制することができる。
【００１３】
また、筐体２の材料をＡＢＳ樹脂（アクリルニトリルーブタジエンースチレン共重合合成樹脂）とすれば、成形性の向上と低コスト化を図ることができる。この場合、筐体２の材料を強化ＡＢＳ樹脂とすれば、筐体２の強度を向上させることができる。なお、強化ＡＢＳ樹脂は、ＡＢＳ樹脂にガラス繊維などを混合させたものである。
【００１４】
また、筐体２の材料は、金属とすることもできる。筐体２の材料を金属とすれば、光触媒装置１の剛性を高めることができる。金属は、例えば、鉄、ステンレス、アルミニウム合金などとすることができる。
【００１５】
筐体２の一方の端部２ａと、筐体２の他方の端部２ｂは、開口させることができる。例えば、筐体２の端部２ａは、ガスＧの流入口とすることができる。筐体２の端部２ｂは、ガスＧの流出口とすることができる。なお、端部２ａがガスＧの流出口、端部２ｂがガスＧの流入口としてもよい。すなわち、ガスＧの流れ方向には特に限定がない。ガスＧは、例えば、空気を主成分とする気体とすることができる。
【００１６】
筐体２の内壁には、複数の凹部２ｃ、および複数の凹部２ｄを設けることができる。  
凹部２ｃの内部には基板３ａの端部を挿入することができる。一対の凹部２ｃにより、一つの基板３ａ（光源３）を保持することができる。凹部２ｄの内部には光触媒フィルタ４の端部を挿入することができる。一対の凹部２ｄにより、一つの光触媒フィルタ４を保持することができる。
【００１７】
また、凹部２ｄは凹部２ｃと略平行に設けることができる。そのため、光触媒フィルタ４は、光源３の基板３ａと略平行に設けることができる。筐体２の、凹部２ｃ、２ｄが延びる方向に設けられた蓋２ｅは、筐体２から着脱可能とすることができる。蓋２ｅが着脱可能に設けられていれば、光源３、および光触媒フィルタ４を着脱するのが容易となる。
【００１８】
その他、筐体２の端部２ａ、２ｂに格子を設け、指や異物が筐体２の内部に侵入するのを抑制することもできる。また、ゴミなどが筐体２の内部に侵入するのを抑制するために、防塵フィルタなどを設けることもできる。
【００１９】
光源３は、基板３ａおよび発光素子３ｂを有することができる。  
基板３ａは、板状を呈するものとすることができる。基板３ａの一方の表面には、配線パターンを設けることができる。基板３ａは、筐体２の内部に設けることができる。図１および図２に例示をしたものの場合には、基板３ａは、端部２ａ側に設けられている。基板３ａは、端部２ａに設けられた開口を塞ぐように設けることができる。
【００２０】
基板３ａはガスＧの流路に設けられることになる。そのため、基板３ａには、厚み方向を貫通する複数の孔３ａ１を設けることができる。複数の孔３ａ１は、ガスＧの流通口とすることができる。ガスＧの圧力損失を小さくするためには、なるべく大きな孔３ａ１を設けることが好ましい。孔３ａ１の直径は、例えば、３ｍｍ〜４ｍｍ程度とすることができる。孔３ａ１の数や配置には特に限定はない。ただし、筐体２の端部２ａ（２ｂ）側から見て（光触媒装置１をガスＧの流れ方向から見て）、孔３ａ１と、坦持部４ｂ２に設けられた空間４ｂ２ｃが重なるようにすることが好ましい。この様にすれば、ガスＧの流れが乱れるのを抑制することができる。
【００２１】
なお、孔３ａ１の寸法を大きくしすぎると、基板３ａの剛性が低くなって基板３ａが振動する場合がある。この様な場合には、金属などの剛性の高い材料からなる補強板などを筐体２の内壁に固定し、補強板などに基板３ａを設けるようにすればよい。
【００２２】
基板３ａの材料や構造には特に限定はない。例えば、基板３ａは、酸化アルミニウムや窒化アルミニウムなどの無機材料（セラミックス）、紙フェノールやガラスエポキシなどの有機材料などから形成することができる。また、基板３ａは、金属板の表面を絶縁材料で被覆したものであってもよい。なお、金属板の表面を絶縁材料で被覆する場合には、絶縁材料は、有機材料からなるものであってもよいし、無機材料からなるものであってもよい。
【００２３】
発光素子３ｂの発熱量が多い場合には、放熱性の観点から熱伝導率の高い材料を用いて基板３ａを形成することが好ましい。熱伝導率の高い材料としては、例えば、酸化アルミニウムや窒化アルミニウムなどのセラミックス、高熱伝導性樹脂、金属板の表面を絶縁材料で被覆したものなどを例示することができる。高熱伝導性樹脂は、例えば、ＰＥＴ（Polyethylene terephthalate）やナイロン等の樹脂に、酸化アルミニウムや炭素（カーボン）などからなるフィラーを混合させたものとすることができる。  
また、基板３ａは、単層構造を有するものであってもよいし、多層構造を有するものであってもよい。
【００２４】
発光素子３ｂは、基板３ａの一方の表面に設けることができる。発光素子３ｂは、基板３ａの表面に設けられた配線パターンと電気的に接続することができる。発光素子３ｂの形式には特に限定はない。発光素子３ｂは、例えば、ＰＬＣＣ（Plastic Leaded Chip Carrier）型などの表面実装型の発光素子とすることができる。発光素子３ｂは、例えば、砲弾型などのリード線を有する発光素子とすることもできる。
【００２５】
また、発光素子３ｂは、ＣＯＢ（Chip On Board）により実装されるものとすることもできる。ＣＯＢにより実装される発光素子３ｂとする場合には、チップ状の発光素子３ｂと、発光素子３ｂと配線パターンを電気的に接続する配線と、チップ状の発光素子３ｂや配線などを覆う封止部などと、を基板３ａの上に設けることができる。
【００２６】
発光素子３ｂは、例えば、発光ダイオードとすることができる。発光素子３ｂは、少なくとも１つ設けることができる。ただし、複数の発光素子３ｂを設ければ、光触媒フィルタ４の広い領域に光を照射するのが容易となる。複数の発光素子３ｂは、直列接続することができる。複数の発光素子３ｂの配置には特に限定はないが、基板３ａの面にほぼ均等に設けることが好ましい。この様にすれば、光触媒フィルタ４の表面に均等に光を照射するのが容易となる。
【００２７】
ここで、光触媒反応の速度は、光触媒４ｂ１の吸収波長領域と光強度（光量）によって変化する。そのため、複数の発光素子３ｂの配置や数は、１つの発光素子３ｂが照射する光の光量と、光触媒４ｂ１を坦持している光触媒シート４ｂの面積と、発光素子３ｂの発光面と光源３に最も近い光触媒フィルタ４との間の距離と、に基づいて決定することができる。  
例えば、光源３に最も近い光触媒フィルタ４上における光照射強度が１ｍＷ／ｃｍ２以上となるように、複数の発光素子３ｂの配置や数などを設定することができる。
【００２８】
発光素子３ｂは、光触媒シート４ｂの坦持部４ｂ２に坦持された光触媒４ｂ１に向けて所定の波長を有する光を照射することができる。この場合、光触媒４ｂ１の材料や組成が変われば、光触媒４ｂ１の吸収波長領域が変化する。そのため、光触媒４ｂ１の吸収波長領域に応じて、適切な波長の光を照射する発光素子３ｂを適宜選択することができる。
【００２９】
例えば、光触媒４ｂ１が酸化チタンなどの紫外光応答型の光触媒４ｂ１である場合には、発光素子３ｂは、ピーク波長が３８０ｎｍ以下の光を照射するものとすることができる。また、光触媒４ｂ１が酸化タングステンなどの可視光応答型の光触媒４ｂ１である場合には、発光素子３ｂは、ピーク波長が３８０ｎｍ以上（例えば、４００ｎｍ〜６００ｎｍ程度）の光を照射するものとすることができる。この場合、発光素子３ｂはピーク波長が同じものを複数設けることもできるし、ピーク波長が異なるものを複数種類設けることもできる。
【００３０】
後述するように、光触媒４ｂ１は、光触媒作用により、ガスＧに含まれる有害物質の分解除去、除菌、ウイルスの不活性化などを行うことができる。
【００３１】
光触媒フィルタ４は、少なくとも１つ設けることができる。複数の光触媒フィルタ４を設ける場合には、複数の光触媒フィルタ４を、筐体２の端部２ａと端部２ｂの間に並べて設けることができる。光触媒フィルタ４は、光源３と並べて設けることができる。光触媒フィルタ４は、基板３ａの発光素子３ｂが設けられる側に、光源３と並べて設けることができる。光触媒フィルタ４の数には特に限定はない。光触媒フィルタ４の数は、ガスＧの流量、ガスＧに含まれている物質の量、光源３から照射される光の光強度（光量）などに応じて適宜変更することができる。
【００３２】
ここで、基板３ａの両側の面に発光素子３ｂを設ければ、光触媒フィルタ４と光触媒フィルタ４との間に光源３を設けることができる。光源３と光触媒フィルタ４との間の距離が長くなるほど、または、光源３と光触媒フィルタ４との間に設けられる他の光触媒フィルタ４の数が多くなるほど光触媒反応の速度が遅くなる。この場合、光源３の両側のそれぞれに光触媒フィルタ４を設ければ、光源３と、光源３から最も遠い光触媒フィルタ４との間の距離を短くすることができる。また、光源３と光触媒フィルタ４との間に設けられる他の光触媒フィルタ４の数を少なくすることができる。そのため、光触媒反応の速度を速くするのが容易となる。
【００３３】
また、複数の光触媒フィルタ４を設ける場合には、複数の光触媒フィルタ４に設けられる光触媒シート４ｂを同じ構成とすることもできるし、少なくとも１つの光触媒フィルタ４に設けられる光触媒シート４ｂを異なる構成とすることもできる。異なる構成を有する光触媒シート４ｂとする場合には、例えば、紫外光応答型の光触媒４ｂ１が坦持された光触媒シート４ｂと、可視光応答型の光触媒４ｂ１が坦持された光触媒シート４ｂとすることができる。また、１つの光触媒シート４ｂに、複数種類の光触媒４ｂ１が坦持されるようにすることもできる。
【００３４】
この場合、光源３に設けられた複数の発光素子３ｂの一部をピーク波長が３８０ｎｍ以下の光を照射するものとし、残りの発光素子３ｂをピーク波長が３８０ｎｍ以上（例えば、４００ｎｍ〜６００ｎｍ程度）の光を照射するものとすればよい。
【００３５】
ここで、光触媒４ｂ１の種類によって、特定の処理対象（例えば、アンモニア、エチレン、ＶＯＣ、細菌、ウイルスなど）に対する光触媒効果が異なるものとなる場合がある。そのため、１つの光触媒装置１に複数種類の光触媒４ｂ１が坦持されるようにすれば、例えば、複数の処理対象のそれぞれに対して光触媒効果が高い光触媒４ｂ１を坦持させることができる。この様にすれば、光触媒装置１の汎用性を高めることができる。
【００３６】
また、複数種類の処理対象がガスＧに含まれている場合がある。この様な場合には、複数種類の光触媒４ｂ１に対して、複数種類の発光素子３ｂから波長の異なる光を照射させることができる。この様にすれば、複数種類の処理対象を含むガスＧであっても、各処理対象を効率よく処理することができる。
【００３７】
図３（ａ）、（ｂ）に示すように、光触媒フィルタ４は、枠部４ａおよび光触媒シート４ｂを有することができる。  
枠部４ａは、枠状を呈し、光触媒シート４ｂの周縁を保持することができる。枠部４ａの中央部分は、光触媒シート４ｂが露出する窓部４ａ１とすることができる。なお、光触媒シート４ｂの面積が大きい場合などには、光触媒シート４ｂの中央領域における撓みを抑制するために梁などを適宜設けることができる。
【００３８】
枠部４ａは、一対設けることができる。一対の枠部４ａにより、光触媒シート４ｂを挟み込んで光触媒シート４ｂを保持することができる。この場合、ネジなどの締結部材４ａ２を用いて、一方の枠部４ａを他方の枠部４ａに固定することができる。また、一方の枠部４ａに突起部を設け、他方の枠部４ａに突起部に嵌合する凹部を設けることもできる。そして、一対の枠部４ａにより、光触媒シート４ｂを挟み込んだ際に、突起部を凹部に嵌め合わせて一対の枠部４ａ同士を固定することができる。なお、超音波溶着法などを用いて、一対の枠部４ａ同士を固定するようにしてもよい。
【００３９】
光触媒シート４ｂは、例えば、光触媒４ｂ１と、坦持部４ｂ２を有することができる。  光触媒４ｂ１は、例えば、粒状を呈するものとすることができる。光触媒４ｂ１は、光触媒装置１の用途などに応じて適宜選択することができる。例えば、前述したように、光触媒４ｂ１は、紫外光応答型の光触媒や可視光応答型の光触媒などとすることができる。紫外光応答型の光触媒４ｂ１は、例えば、酸化チタンなどとすることができる。可視光応答型の光触媒４ｂ１は、例えば、酸化タングステン、窒素などをドープした酸化チタン、異種金属をイオン注入した酸化チタンなどとすることができる。
【００４０】
後述するように、坦持部４ｂ２は、例えば、複数の繊維を束ねた複数の横糸部４ｂ２ａと、複数の繊維を束ねた複数の縦糸部４ｂ２ｂとを有することができる。繊維の材料は、例えば、ガラスとすることができる。ガラスは、例えば、石英ガラス、Ｅガラス、Ｃガラス、Ｓガラス、Ａガラスなどとすることができる。ただし、繊維の材料は、ガラスに限定されるわけではない。繊維の材料は、発光素子３ｂから照射された光を透過させることができ、且つ、光触媒作用により分解されにくいものを適宜選択することができる。
【００４１】
繊維の太さは、例えば、４μｍ〜１０μｍ程度とすることができる。１つの横糸部４ｂ２ａ、および１つの縦糸部４ｂ２ｂに含まれる繊維の数には特に限定はないが、例えば、繊維の数は数十本〜数千本とすることができる。
【００４２】
複数の繊維を束ねた横糸部４ｂ２ａと、複数の繊維を束ねた縦糸部４ｂ２ｂとが設けられていると、繊維と繊維の間に複数の光触媒４ｂ１を坦持させることができる。すなわち、繊維と繊維の間に複数の光触媒４ｂ１が挟み込まれたり、複数の光触媒４ｂ１が繊維に吸着されたりすることで、複数の光触媒４ｂ１が繊維に保持される。この場合、繊維の太さを細くすれば繊維の数を多くすることができるので、横糸部４ｂ２ａおよび縦糸部４ｂ２ｂにおける表面積を増大させることができる。そのため、繊維の太さを４μｍ〜１０μｍ程度とすれば、光触媒シート４ｂの剛性を維持することができるとともに、光触媒４ｂ１の坦持量を増加させることができる。
【００４３】
複数の光触媒４ｂ１は、例えば、以下のようにして坦持部４ｂ２に坦持させることができる。  
まず、純水に燐酸などを加えて、ｐＨ（水素イオン濃度）を２〜７に調整した水溶液を生成する。  
次に、水溶液に、複数の光触媒４ｂ１を加えてエマルジョン溶液を生成する。  
次に、坦持部４ｂ２をエマルジョン溶液に１０分間程度浸漬させる。  
次に、エマルジョン溶液から坦持部４ｂ２を引き上げて乾燥させる。  
以上の様にして、複数の光触媒４ｂ１を坦持部４ｂ２に坦持させることができる。
【００４４】
ここで、図２に示すように、ガスＧは、光触媒シート４ｂを、その厚み方向に流通する。この場合、布状に繊維を織り込んで坦持部を形成すると、圧力損失が大きくなりガスＧの流通が阻害されるおそれがある。ガスＧの流通が阻害されると、光触媒効果が低くなるおそれがある。この場合、布状に繊維を織り込んで形成された坦持部に、複数の孔を加工してガスＧの流通口を設けることもできる。ところが、複数の孔を加工してガスＧの流通口を設けると、坦持部の強度が低下したり、孔を加工した部分の繊維がほつれたりするおそれがある。
【００４５】
図４は、比較例に係る坦持部１０４を例示するための模式拡大図である。  
図４に示すように、坦持部１０４は、複数の繊維を束ねた複数の横糸部１０４ａと、複数の繊維を束ねた複数の縦糸部１０４ｂとを有する。例えば、縦糸部１０４ｂは、横糸部１０４ａが延びる方向と交差する方向に延びている。複数の横糸部１０４ａは、所定の間隔を空けて並べて設けられている。複数の縦糸部１０４ｂは、所定の間隔を空けて並べて設けられている。そのため、互いに隣接する２つの横糸部１０４ａと、互いに隣接する２つの縦糸部１０４ｂとにより画された領域に空間１０４ｃが設けられる。すなわち、坦持部１０４にはマトリクス状に並んだ複数の空間１０４ｃが設けられている。複数の空間１０４ｃが設けられていれば、複数の空間１０４ｃがガスＧの流通口となるので、圧力損失を低減させることができる。
【００４６】
ところが、図４に示すように、横糸部１０４ａと縦糸部１０４ｂとが交差する部分において、横糸部１０４ａが縦糸部１０４ｂの上方または下方を通過している。同様に、縦糸部１０４ｂが横糸部１０４ａの上方または下方を通過している。すなわち、横糸部１０４ａと縦糸部１０４ｂは接触はしているが、保持されてはいない。そのため、坦持部１０４に外力や振動などが加わると、横糸部１０４ａの位置、または縦糸部１０４ｂの位置がズレるおそれがある。横糸部１０４ａの位置、または縦糸部１０４ｂの位置がズレると、空間１０４ｃの面積が変化して、圧力損失の大きい部分と小さい部分が生じるおそれがある。圧力損失に分布が生じると、ガスＧの流れが乱れ易くなるので、光触媒効果が低くなるおそれがある。
【００４７】
図５（ａ）〜（ｃ）は、本実施の形態に係る坦持部４ｂ２を例示するための模式拡大図である。  
図５（ａ）〜（ｃ）に示すように、坦持部４ｂ２は、複数の繊維を束ねた複数の横糸部４ｂ２ａと、複数の繊維を束ねた複数の縦糸部４ｂ２ｂとを有することができる。例えば、縦糸部４ｂ２ｂは、横糸部４ｂ２ａが延びる方向と交差する方向に延びている。また、互いに隣接する２つの横糸部４ｂ２ａと、互いに隣接する２つの縦糸部４ｂ２ｂとにより画された領域に空間４ｂ２ｃが設けられる。すなわち、坦持部４ｂ２にはマトリクス状に並んだ複数の空間４ｂ２ｃが設けられている。複数の空間４ｂ２ｃが設けられていれば、複数の空間４ｂ２ｃがガスＧの流通口となるので、圧力損失を低減させることができる。また、複数の孔を加工するわけではないので、坦持部４ｂ２の強度が低下したり、繊維がほつれたりするのを抑制することができる。
【００４８】
また、図５（ａ）、（ｃ）に示すように、横糸部４ｂ２ａと縦糸部４ｂ２ｂとが交差する部分において、複数の縦糸部４ｂ２ｂが横糸部４ｂ２ａを挟むようにすることができる。
図５（ｂ）、（ｃ）に示すように、横糸部４ｂ２ａと縦糸部４ｂ２ｂとが交差する部分において、複数の横糸部４ｂ２ａが縦糸部４ｂ２ｂを挟むようにすることができる。この様にすれば、横糸部４ｂ２ａと縦糸部４ｂ２ｂが保持されるので、坦持部４ｂ２に外力や振動などが加わったとしても、横糸部４ｂ２ａの位置、および縦糸部４ｂ２ｂの位置がズレるのを抑制することができる。そのため、圧力損失に分布が生じるのを抑制することができるので、ガスＧの流れが乱れるのを抑制することができる。またさらに、横糸部４ｂ２ａと縦糸部４ｂ２ｂとが交差する部分が立体的になるので、この部分に坦持される光触媒４ｂ１の量を増加させることができる。  
そのため、本実施の形態に係る坦持部４ｂ２とすれば、圧力損失を低減させることができる。また、光触媒効果の向上を図ることができる。
【００４９】
以上に説明したように、複数の横糸部４ｂ２ａのそれぞれは、第１の方向に延びる複数の繊維を有することができる。複数の縦糸部４ｂ２ｂのそれぞれは、第１の方向に交差する第２の方向に延びる複数の繊維を有することができる。
そして、横糸部４ｂ２ａと、縦糸部４ｂ２ｂと、が交差する部分において、少なくとも２つの縦糸部４ｂ２ｂが、少なくとも１つの横糸部４ｂ２ａを挟んでいる、および、少なくとも２つの横糸部４ｂ２ａが、少なくとも１つの縦糸部４ｂ２ｂを挟んでいる、の少なくともいずれかとなっている。
【００５０】
図６は、本実施の形態に係る光触媒フィルタ４の効果を例示するためのグラフ図である。
図６中の「Ｂ」は、図４に例示をした比較例に係る坦持部１０４を有する光触媒フィルタの場合である。図６中の「Ｃ」は、図５（ｃ）に例示をした本実施の形態に係る坦持部４ｂ２を有する光触媒フィルタ４の場合である。  
図６から分かるように、本実施の形態に係る光触媒フィルタ４とすれば、光触媒効果の向上を図ることができる。
【００５１】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５２】
１  光触媒装置、２  筐体、３  光源、３ａ  基板、３ｂ  発光素子、４  光触媒フィルタ、４ａ  枠部、４ｂ  光触媒シート、４ｂ１  光触媒、４ｂ２  坦持部、４ｂ２ａ  横糸部、４ｂ２ｂ  縦糸部、４ｂ２ｃ  空間
【図１】
2020044527.tif 000003
【図２】
2020044527.tif 000004
【図３】
2020044527.tif 000005
【図４】
2020044527.tif 000006
【図５】
2020044527.tif 000007
【図６】
2020044527.tif 000008